(57)【要約】【課題】スライド方向に直交する方向に向けた力が作用した場合に、レールの係合が外れたり、レールが破損したりするのを抑止できるコンパクト容器を提供する。【解決手段】コンパクト容器１は、第１収容容器２と、第１収容容器に対してスライド移動可能に重ね合され、第１収容容器によって開閉される取出口が形成された第２収容容器３と、を備え、スライド方向Ｌ１から見た正面視において、第１収容容器および第２収容容器のいずれか一方には、他方に形成された第１レールＲ１を、スライド方向に直交する直交方向Ｌ２で挟む第２レールＲ２および規制部７８が形成されている。【選択図】図３
2018140076.tif 000002
【特許請求の範囲】
【請求項１】
第１収容容器と、
前記第１収容容器に対してスライド移動可能に重ね合され、前記第１収容容器によって開閉される取出口が形成された第２収容容器と、を備え、
スライド方向から見た正面視において、前記第１収容容器および前記第２収容容器のいずれか一方には、他方に形成された第１レールを、前記スライド方向に直交する直交方向で挟む第２レールおよび規制部が形成されていることを特徴とする、コンパクト容器。
【請求項２】
前記規制部の少なくとも一部が、前記第２レールに対して、前記直交方向で対向していることを特徴とする、請求項１に記載のコンパクト容器。
【請求項３】
前記取出口が開放される開位置に前記第２収容容器がある状態において、上方から見た平面視で、前記第１レールおよび前記第２レールが前記第１収容容器に覆われていることを特徴とする、請求項１または２に記載のコンパクト容器。
【発明の詳細な説明】
【技術分野】
【０００１】
本発明は、コンパクト容器に関する。
【背景技術】
【０００２】
コンパクト容器として、例えば下記特許文献１に示されるように、第１収容容器と、第１収容容器に対してスライド移動可能に重ね合わされ、第１収容容器によって開閉される取出口が形成された第２収容容器と、を備えたものが知られている。
このコンパクト容器では、第１収容容器および第２収容容器にそれぞれ形成されたレールが互いに係合しつつスライドすることで、第２収容容器が第１収容容器に対してスライド移動する。
【先行技術文献】
【特許文献】
【０００３】
【特許文献１】実開昭６０−１１６９１１号公報
【発明の概要】
【発明が解決しようとする課題】
【０００４】
この種のコンパクト容器では、使用時や携帯時に、第１収容容器と第２収容容器との間に、スライド方向に直交する方向に向けた力や、第１収容容器と第２収容容器とを異なる方向に回転させる力など、あるいはこれらの力の合力が作用した場合に、レールの係合が外れたり、レールが破損したりする場合があった。
【０００５】
本発明はこのような事情を考慮してなされたもので、スライド方向に直交する方向に向けた力が作用した場合に、レールの係合が外れたり、レールが破損したりするのを抑止できるコンパクト容器を提供することを目的とする。
【課題を解決するための手段】
【０００６】
上記課題を解決するために、本発明のコンパクト容器は、第１収容容器と、前記第１収容容器に対してスライド移動可能に重ね合され、前記第１収容容器によって開閉される取出口が形成された第２収容容器と、を備え、スライド方向から見た正面視において、前記第１収容容器および前記第２収容容器のいずれか一方には、他方に形成された第１レールを、前記スライド方向に直交する直交方向で挟む第２レールおよび規制部が形成されていることを特徴とする。
【０００７】
本発明のコンパクト容器によれば、第１収容容器および第２収容容器のいずれか一方には、他方に形成された第１レールを、直交方向で挟む第２レールおよび規制部が形成されている。この構成により、第１収容容器と第２収容容器との間に直交方向の力が作用した場合に、規制部が第１レールに当接してこの力を受けることができる。これにより、第１レールと第２レールとの間に直交方向の大きな力が作用して、これらのレール同士の係合が外れたり、これらのレールが破損したりするのを抑えることができる。
【０００８】
ここで、前記規制部の少なくとも一部が、前記第２レールに対して、前記直交方向で対向していてもよい。
【０００９】
この場合、規制部が第２レールに対して直交方向で対向していることにより、規制部と第２レールとの間で第１レールを確実に挟んで、上述した作用効果をより確実に奏功させることができる。
【００１０】
また、前記取出口が開放される開位置に前記第２収容容器がある状態において、上方から見た平面視で、前記第１レールおよび前記第２レールが前記第１収容容器に覆われていてもよい。
【００１１】
この場合、第２収容容器を開位置までスライド移動させ、取出口を開放した状態であっても、第１レールおよび第２レールが第１収容容器に覆われる。これにより、例えば第２収容容器を開くと使用者から目立つ位置にレールが現れる場合と比較して洗練された外観となり、美感に優れたコンパクト容器とすることができる。
【発明の効果】
【００１２】
本発明によれば、スライド方向に直交する方向に向けた力が作用した場合に、レールの係合が外れたり、レールが破損したりするのを抑止したコンパクト容器を提供することができる。
【図面の簡単な説明】
【００１３】
【図１】本実施形態のコンパクト容器の平面図である。
【図２】図１のコンパクト容器のＡ−Ａ断面矢視図である。
【図３】図２のコンパクト容器のＢ−Ｂ断面矢視図である。
【図４】第１容器本体の底面図である。
【図５】第２収容容器の平面図である。
【図６】第２収容容器が開位置にある状態のコンパクト容器の平面図である。
【図７】図６のコンパクト容器のＣ−Ｃ断面矢視図である。
【発明を実施するための形態】
【００１４】
以下、本実施形態に係るコンパクト容器の構成を、図１〜図７を参照しながら説明する。なお、以下の説明に用いる各図面では、各部材を認識可能な大きさとするため縮尺を適宜変更している。また、各部材の形状の理解を容易にするため、部分的に図示を簡略化若しくは省略している場合がある。
【００１５】
図１〜図３に示すように、本実施形態のコンパクト容器１は、持ち運び可能な携帯用容器であり、内容物が収容される第１収容容器２と、第１収容容器２に対して重ね合された第２収容容器３と、第２収容容器３内に収容された刷毛（塗布具）４と、を備えている。なお、コンパクト容器１は刷毛４を備えていなくてもよく、刷毛以外の塗布具（パフなど）を備えていてもよい。
内容物としては、特に限定されるものではないが、例えばファンデーション等の化粧料等が挙げられる。刷毛４は、ブラシ５および柄部６を備えており、この刷毛４を用いて内容物を被塗布部に塗布することができる。
【００１６】
コンパクト容器１は、互いに同じ方向に向けて延びる第１レールＲ１および第２レールＲ２を備えている。第２収容容器３は、これらのレールＲ１、Ｒ２が延びる方向に沿って、第１収容容器２に対してスライド移動する。
ここで本実施形態では、これらのレールＲ１、Ｒ２が延びる方向をスライド方向Ｌ１といい、コンパクト容器１の厚さ方向を上下方向という。また、スライド方向Ｌ１および上下方向の双方向に直交する方向を直交方向Ｌ２という。また、上下方向に沿う第１収容容器２側を上方といい、第２収容容器３側を下方という。また、スライド方向Ｌ１に沿う、後述するロック片４０側を前方といい、ヒンジブロック３７側を後方という（図２参照）。
【００１７】
第１収容容器２および第２収容容器３は、互いに同形および同サイズの薄型容器とされ、図示の例では直交方向Ｌ２よりもスライド方向Ｌ１に僅かに長い平面視長方形状に形成されている。ただし、この場合に限定されるものではなく、第１収容容器２および第２収容容器３は、スライド方向Ｌ１よりも直交方向Ｌ２に長い平面視長方形状に形成されても構わないし、直交方向Ｌ２の長さとスライド方向Ｌ１の長さとが同等の平面視正方形状に形成されていても構わない。さらには、第１収容容器２および第２収容容器３の形状は、平面視で長方形状や正方形状以外の形状であっても良い。
なお、レールＲ１、Ｒ２が延びる方向を適宜変更することで、コンパクト容器１のスライド方向Ｌ１は任意に設計することができる。
【００１８】
（第１収容容器）
第１収容容器２は、上方に向けて開口する薄型の有底筒状に形成された第１容器本体１０と、第１容器本体１０に対して開閉可能に連結された蓋体３０と、を備えている。
第１容器本体１０は、第１底壁部１１と、第１底壁部１１の外周縁部に連結され、上下方向に沿って延びた第１周壁部１２と、を備えている。
第１周壁部１２は、前方に位置する前壁部１３と、後方に位置する後壁部１４と、直交方向Ｌ２の両側に位置すると共に、前壁部１３と後壁部１４とをスライド方向Ｌ１に接続する一対の側壁部１５と、を有している。なお、第１周壁部１２は第１底壁部１１よりも下方に向けて突出している。
【００１９】
前壁部１３には、直交方向Ｌ２に沿って延びると共に下方に開口する横溝１３ａが形成されている。これにより、前壁部１３は横溝１３ａを挟んで壁部がスライド方向Ｌ１に並んだ二重壁状に形成されている。
前壁部１３の下端部には、前方に向けて突出したフランジ壁１６が形成されている。前壁部１３の上端部には、前方に向けて突出した第１係合突起１７が形成されている。第１係合突起１７は、前壁部１３における直交方向Ｌ２の中央部分に形成され、直交方向Ｌ２に沿って僅かに延びるように形成されている。
【００２０】
後壁部１４には、その下端から上方に向けて窪む連結凹部１８が形成されている。図４に示すように、連結凹部１８は、後壁部１４における直交方向Ｌ２の中央部分に形成され、後方に向けてさらに開口している。後壁部１４の底面には、下方に向けて突出する一対の後方突部１４ａが形成されている。一対の後方突部１４ａは、直交方向Ｌ２に間隔を空けて配置されており、スライド方向Ｌ１において互いに同等の位置に配置されている。また、第１底壁部１１の底面には、下方に向けて突出する一対の前方突部１１ａが形成されている。一対の前方突部１１ａは、直交方向Ｌ２に間隔を空けて配置されており、スライド方向Ｌ１において互いに同等の位置に配置されている。一対の後方突部１４ａは、一対の前方突部１１ａよりも後方に配置されている。一対の後方突部１４ａは、一対の前方突部１１ａよりも直交方向Ｌ２の外側に配置されている。なお、一対の後方突部１４ａは、一対の前方突部１１ａよりも直交方向Ｌ２の内側に配置されていてもよいし、一対の前方突部１１ａと直交方向Ｌ２において同等の位置に配置されていてもよい。各突部１１ａ、１４ａは、下方に向けて突の曲面を有している。各突部１１ａ、１４ａは、第２収容容器３が第１収容容器２に対してスライド移動する際に、後述する係止突起６２ａをスライド方向Ｌ１に乗り越え可能に形成されている。
【００２１】
図３に示すように、一対の側壁部１５の上端部は、直交方向Ｌ２の外側部分が内側部分よりも下方に凹んでいる。これにより、一対の側壁部１５の上端部には、全長に亘って段差部１９がそれぞれ形成されている。
第１底壁部１１と第１周壁部１２とで画成される第１容器本体１０の内部には、上方に開口した金属製の中皿２０が嵌合等によって取り付けられている。この中皿２０の内部に内容物が収容される。
なお、図示の例では中皿２０の内部を１つの収容空間としているが、例えば複数の仕切り壁によって中皿２０の内部を複数の収容空間に仕切る構成としても構わない。この場合には、例えば各収容空間内に異なる内容物を別個に収容することが可能となる。なお、コンパクト容器１は中皿２０を備えていなくてもよい。また、中皿２０は、樹脂によって形成された樹脂皿であってもよい。
【００２２】
第１底壁部１１には、第１底壁部１１を上下に貫通する貫通孔２１が形成されている。
貫通孔２１は、第１底壁部１１における直交方向Ｌ２の中央部分に形成され、直交方向Ｌ２よりもスライド方向Ｌ１に長い平面視矩形状に形成されている（図４参照）。
第１底壁部１１の底面における貫通孔２１の開口周縁部には、下方に向けて突出するガイドリブ２２が形成されるとともに、ガイドリブ２２の下端部に、直交方向Ｌ２の内側に向けて突出するガイド突起２３が形成されている。これらガイドリブ２２およびガイド突起２３により、先述の第１レールＲ１が構成されている。第１レールＲ１は、直交方向Ｌ２に間隔を空けて一対配置されている。各第１レールＲ１は、第１底壁部１１の底面における貫通孔２１の開口周縁部のうち、スライド方向Ｌ１に延びる部分の全長に亘って形成されている。
【００２３】
図１〜図３に示すように、蓋体３０は、平面視矩形状に形成され、第１容器本体１０の第１底壁部１１に対して上下方向に対向する天板部３１と、天板部３１の外周縁部から下方に向けて延びた枠壁部３２と、を備えている。蓋体３０は、第１容器本体１０に対して、直交方向Ｌ２に延びる回転軸線Ｍ回りに回転可能に連結されている。
【００２４】
枠壁部３２は、前方に位置する前枠部３３と、後方に位置する後枠部３４と、直交方向Ｌ２の両側に位置すると共に前枠部３３と後枠部３４とをスライド方向Ｌ１に接続する一対の側枠部３５と、を有している。
【００２５】
前枠部３３は、第１容器本体１０のフランジ壁１６に上方から対向している。一対の側枠部３５は、第１容器本体１０における一対の側壁部１５の段差部１９に対して上方から対向している。これらのことから、蓋体３０は上下方向に位置決めされた状態で第１容器本体１０に対して重なっている。
なお、前枠部３３における直交方向Ｌ２の中央部分には、前枠部３３をスライド方向Ｌ１に貫通すると共に下方に開口した窓孔３６が形成されている。
【００２６】
後枠部３４には、直交方向Ｌ２の中央部分において、下方に向けて突設されると共に第１容器本体１０側の連結凹部１８内に収容されたヒンジブロック３７が形成されている。
ヒンジブロック３７は、直交方向Ｌ２に沿って延びると共に下端部が半円状に突出している。ヒンジブロック３７と連結凹部１８とは、直交方向Ｌ２に沿って延びた回転軸部３８を介して互いに連結されている。
【００２７】
回転軸部３８は、連結凹部１８における直交方向Ｌ２の内側端部と、ヒンジブロック３７における直交方向Ｌ２の外側端部とをそれぞれ連結している。なお、回転軸部３８の中心軸線が上記回転軸線Ｍとされている。
これにより、蓋体３０の全体は、第１容器本体１０に対して回転軸線Ｍ回りに回転可能に連結され、回転軸線Ｍ回りに蓋体３０を開閉操作することが可能とされている。
【００２８】
前枠部３３には、第１容器本体１０に対する蓋体３０の閉状態を維持するロック片４０が設けられている。ロック片４０は、窓孔３６内に位置している。
ロック片４０は、直交方向Ｌ２に延びた板状に形成されると共に、窓孔３６を画成する上壁面から下方に向けて突設されている。なお、ロック片４０の下端部とフランジ壁１６との間には、例えば指先を進入させることができる程度の上下方向の隙間が確保されている。
【００２９】
ロック片４０には、後方に向けて突出すると共に、第１容器本体１０に形成された第１係合突起１７に対して離脱可能にアンダーカット嵌合される第２係合突起４１が形成されている。第１係合突起１７に対して、第２係合突起４１が第１係合突起１７の下方から係合することによって、蓋体３０は閉状態でロックされる。
そして、例えば指先等によって、ロック片４０の下端部を前方に向けて僅かに撓ませるように移動させて、第１係合突起１７と第２係合突起４１との係合を解除することで、蓋体３０の閉状態のロックを解除することが可能となる。
【００３０】
蓋体３０における天板部３１の内面には、平面視矩形状の鏡４２が取り付けられている。なお、鏡４２の取付方法としては、例えば接着剤や両面テープ等による接着、その他の方法による固着等が挙げられるが、特に限定されるものではない。図示の例では、鏡４２は薄い板状に形成されているが、この場合に限定されるものではなく、例えばシート状或いはフィルム状の鏡であっても構わないし、天板部３１の内面に金属反射膜を蒸着する方法等により鏡を設けても構わない。
【００３１】
（第２収容容器）
第２収容容器３は、第１収容容器２に対してスライド方向Ｌ１にスライド移動可能に、第１収容容器２の下方に組み合わされている。第２収容容器３は、スライド移動に伴って第１収容容器２により開閉される取出口５０を有している。
そして、第２収容容器３は、図１〜図３に示すように取出口５０が閉塞される閉位置Ｐ１と、図６および図７に示すように取出口５０が開放される開位置Ｐ２と、の間をスライド移動可能に設けられている。
【００３２】
なお、図１〜図３に示すように、第１収容容器２と第２収容容器３とが上下方向に完全に重なり合っているときの第２収容容器３の位置が閉位置Ｐ１となる。そして、図６および図７に示すように、閉位置Ｐ１から第２収容容器３が第１収容容器２に対して、第２収容容器３におけるスライド方向Ｌ１の長さの略半分の長さ分、前方に向けてスライド移動したときの第２収容容器３の位置が開位置Ｐ２となる。
【００３３】
図１〜図３に示すように、第２収容容器３は、上方に向けて開口すると共に、第１収容容器２全体の厚みと同等の厚みの有底筒状に形成された第２容器本体６０と、第２容器本体６０内に配設された枠部７０と、を備えている。
第２容器本体６０は、第２底壁部６１と、第２底壁部６１の外周縁部から上方に向けて延びた第２周壁部６２と、を備えている。第２周壁部６２の上端部は、第１収容容器２のフランジ壁１６、一対の側壁部１５、および後壁部１４に対して下方から対向している。第２周壁部６２の後端部には、上方に向けて突出する係止突起６２ａが形成されている。
【００３４】
枠部７０は、第２容器本体６０の開口部を部分的に塞ぐ閉塞板７１と、閉塞板７１から下方に向けて延びると共に前方に位置する前方枠部７２と、閉塞板７１から下方に向けて延びると共に後方に位置する後方枠部７３と、閉塞板７１から下方に向けて延びると共に直交方向Ｌ２の両側に位置し、且つ前方枠部７２と後方枠部７３とをスライド方向Ｌ１に接続する一対の側方枠部７４と、を備えている。
そして、枠部７０と第２底壁部６１とで画成された空間が、刷毛４を収容する収容空間となる。
【００３５】
閉塞板７１には、閉塞板７１を上下方向に貫通する上記取出口５０が形成されている。
取出口５０は、閉塞板７１のうち主に前方側からスライド方向Ｌ１の中央部分に亘って形成され、スライド方向Ｌ１よりも直交方向Ｌ２に長い平面視矩形状に形成されている。閉塞板７１の上面は、係止突起６２ａの上端縁より下方に位置している。
【００３６】
なお、枠部７０には、取出口５０の開口周縁部における前端部から、下方に向かうに従って後方に向けて延びるガイド部５１が形成されている。ガイド部５１は、下方に向けて突の曲面状に形成されている。ガイド部５１は、刷毛４を取出口５０から第２収容容器３内に挿入する際、あるいは刷毛４を取出口５０から取り出す際に、この刷毛４を案内する役割を果たしている。
【００３７】
後方枠部７３は、直交方向Ｌ２に沿って延びる板状に形成されると共に閉塞板７１から下方に向けて延び、第２底壁部６１に対して上方から接触している。図示の例では、後方枠部７３は第２周壁部６２との間にスライド方向Ｌ１の隙間をあけた状態で第２周壁部６２の内側（前方）に配設されている。
一対の側方枠部７４は、スライド方向Ｌ１に沿って延びる板状に形成されると共に閉塞板７１から下方に向けて延び、第２底壁部６１に対して上方から接触している。図示の例では、一対の側方枠部７４は、第２周壁部６２との間に直交方向Ｌ２の隙間をあけた状態で第２周壁部６２の直交方向Ｌ２の内側に配設され、且つ前方枠部７２と後方枠部７３とをスライド方向Ｌ１に一体に連結している。
【００３８】
枠部７０には、閉塞板７１から上方に向けて延びる板状のスライドリブ７５と、スライドリブ７５の上端部から直交方向Ｌ２の外側に向けて突出するスライド突起７６と、が形成されている。これらスライドリブ７５およびスライド突起７６により、先述の第２レールＲ２が構成されている。スライド突起７６は、スライドリブ７５のスライド方向Ｌ１の全長に亘って形成されている。なお、閉塞板７１には、スライド突起７６を射出成形で形成する場合の抜き孔７１ａが閉塞板７１を上下方向に貫通するように形成されている。
【００３９】
第２レールＲ２は、直交方向Ｌ２に間隔を空けて一対配置されている。第２レールＲ２は、第２収容容器３におけるスライド方向Ｌ１の中央部より後方に配置されている。第２レールＲ２は、第１レールＲ１よりも、スライド方向Ｌ１に短い。第２レールＲ２は、第１レールＲ１に対して、直交方向Ｌ２の内側から対向している。
【００４０】
スライド突起７６は、ガイド突起２３に対して上下方向で対向している。スライド突起７６は、ガイド突起２３に対してスライド方向Ｌ１に移動可能に接触している。
このように、スライド突起７６がガイド突起２３に対してスライド方向Ｌ１に移動可能に上方から接触することで、第１レールＲ１と第２レールＲ２とが係合している。この構成により、第２収容容器３は第１収容容器２に対して上下方向に組み合わされていると共に第１収容容器２に対してスライド方向Ｌ１にスライド可能とされている。
【００４１】
図２に示すように、第２収容容器３が閉位置Ｐ１にある場合、第２レールＲ２の後端部が第１収容容器２の貫通孔２１における後方の内面に当接する。これにより、第２収容容器３の第１収容容器２に対する後方移動が規制される。このとき、後方突部１４ａは、係止突起６２ａよりも前方に位置しており、係止突起６２ａにスライド方向Ｌ１で隣接している。
図７示すように、第２収容容器３が開位置Ｐ２ある場合、第２レールＲ２の前端部が第１収容容器２の貫通孔２１における前方の内面に当接する。これにより、第２収容容器３の第１収容容器２に対する前方移動が規制される。このとき、前方突部１１ａは、係止突起６２ａよりも後方に位置しており、係止突起６２ａにスライド方向Ｌ１で隣接している。
このように、第２レールＲ２は、第１レールＲ１と係合しながら、貫通孔２１におけるスライド方向Ｌ１の長さの範囲内においてスライドする。
【００４２】
ここで本実施形態では、図５に示すように、枠部７０に一対の規制部７８が形成されている。一対の規制部７８は、閉塞板７１から上方に向けて突出しており、スライド方向Ｌ１に延びている。各規制部７８は、直交方向Ｌ２における第１レールＲ２の外側に位置している。図３に示すように、スライド方向Ｌ１から見た正面視において、第１レールＲ２および規制部７８は、第１レールＲ１を直交方向Ｌ２で挟んでいる。
【００４３】
図１に示すように、規制部７８の前方の端部は、スライド方向Ｌ１において、第２レールＲ２の後端部と同じ位置に位置している。すなわち、規制部７８の少なくとも一部は、第２レールＲ２に対して直交方向Ｌ２で対向している。
規制部７８の前端部には、後方に向かうに従って漸次直交方向Ｌ２の内側に向かって延びる傾斜面７８ａが形成されている。第２収容容器３が閉位置Ｐ１に位置するときに、傾斜面７８ａは、第２レールＲ２の後端部に対して直交方向Ｌ２で対向している。
【００４４】
以上説明したように、本実施形態のコンパクト容器１によれば、スライド方向Ｌ１から見た正面視において、第２収容容器３には、第１収容容器２に形成された第１レールＲ１を、直交方向Ｌ２で挟む第２レールＲ２および規制部７８が形成されている。この構成により、第１収容容器２と第２収容容器３との間に直交方向Ｌ２の力が作用した場合に、規制部７８が第１レールＲ１に当接してこの力を受けることができる。これにより、第１レールＲ１と第２レールＲ２との間に直交方向Ｌ２の大きな力が作用して、これらのレールＲ１、Ｒ２の係合が外れたり、これらのレールＲ１、Ｒ２が破損したりするのを抑えることができる。
【００４５】
また、規制部７８の少なくとも一部が、第２レールＲ２に対して、直交方向Ｌ２で対向していることにより、規制部７８と第２レールＲ２との間で第１レールＲ１を確実に挟んで、上述した作用効果をより確実に奏功させることができる。
【００４６】
また、規制部７８の前方の端部に傾斜面７８ａが形成されているため、第１収容容器２と第２収容容器３とを組み付ける際や、第２収容容器３を閉位置Ｐ１から開位置Ｐ２へとスライド移動させる際に、規制部７８と第１レールＲ１とがスライド方向Ｌ１で当接して、このスライド移動が妨げられてしまうのを抑止することができる。
【００４７】
また、第１収容容器２に、第２収容容器３がスライド移動する際に係止突起６２ａを乗り越える前方突部１１ａおよび後方突部１４ａが形成されている。これにより、第２収容容器３が閉位置Ｐ１若しくは開位置Ｐ２までスライド移動したことを、これら突部１１ａ、１４ａが係止突起６２ａを乗り越えた感触によって、使用者に認識させることが可能となる。さらに、第２収容容器３が閉位置Ｐ１若しくは開位置Ｐ２にある場合、これら突部１１ａ、１４ａが、係止突起６２ａにスライド方向Ｌ１から当接することで、閉位置Ｐ１から開位置Ｐ２へと、若しくは開位置Ｐ２から閉位置Ｐ１へと、第２収容容器３が不意にスライド移動するのを抑止することができる。以上により、操作性に優れたコンパクト容器１とすることができる。
【００４８】
なお、本発明の技術的範囲は前記実施の形態に限定されるものではなく、本発明の趣旨を逸脱しない範囲において種々の変更を加えることが可能である。
【００４９】
例えば、前記実施形態では、規制部７８および第２レールＲ２が第２収容容器３に形成され、第１レールＲ１が第１収容容器２に形成されていたが、この関係は逆であってもよい。すなわち、第１レールが第２収容容器３に形成され、正面視においてこの第１レールを直交方向Ｌ２で挟む第２レールおよび規制部が第１収容容器２に形成されていてもよい。この場合であっても、前述と同様の作用効果を得ることができる。
【００５０】
また、前記実施形態では係止突起６２ａが第２収容容器３に形成され、前方突部１１ａおよび後方突部１４ａが第１収容容器２に形成されていたが、この関係は逆であってもよい。すなわち、下方に向けて突出する係止突起が第１収容容器２に形成され、この係止突起をスライド方向Ｌ１に乗り越え可能な前方突部および後方突部が第２収容容器３に形成されていてもよい。
なお、前記実施形態のコンパクト容器１は、例えば図６に示すように、第２収容容器３を開位置Ｐ２とした状態であっても、レールＲ１、Ｒ２が平面視で第１収容容器２に覆われる構造となっている。この構造により、例えば第２収容容器を開くと使用者から目立つ位置にレールが現れるコンパクト容器と比較して洗練された外観となり、美感に優れたコンパクト容器１とすることができる。特に、本実施形態のコンパクト容器１は、外観の良さが求められる化粧用品として好適に用いることができる。
【００５１】
また、前記実施形態で示した第１レールＲ１および第２レールＲ２の形状は一例であり、第２収容容器３を第１収容容器２に対してスライド移動可能とする他の構成を適宜採用してもよい。
【００５２】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【符号の説明】
【００５３】
１…コンパクト容器  ２…第１収容容器  ３…第２収容容器  ５０…取出口  ７８…規制部  Ｒ１…第１レール  Ｒ２…第２レール  Ｌ１…スライド方向  Ｌ２…直交方向
【図１】
2018140076.tif 000003
【図２】
2018140076.tif 000004
【図３】
2018140076.tif 000005
【図４】
2018140076.tif 000006
【図５】
2018140076.tif 000007
【図６】
2018140076.tif 000008
【図７】
2018140076.tif 000009